(57)【要約】  【課題】コンソールボックスを作業用姿勢位置に配置したままで、ゲートロックレバーだけを乗降通路の外側に移動させれば乗り降りできるようなときには、ゲートロックレバーだけを乗降通路の外側に移動させて乗り降りすることができる構造を得る。  【解決手段】コンソールボックス１８が作業用姿勢位置に配置されている状態で、ゲートロックレバー２０を単独で倒伏姿勢位置から起立姿勢位置に移動できるようにしたリンク板３８を有するリンク機構３７を、コンソールボックス１８とゲートロックレバー２０との間に設けた建設機械のゲートロック装置を提供する。【選択図】図３
2005146639.tif 000002
【特許請求の範囲】
【請求項１】
作業用操作レバーを有するコンソールボックスと該コンソールボックスの斜め前方に突出して設けられたゲートロックレバーとを備え、前記コンソールボックスが前記作業用操作レバーの操作を可能にする作業用姿勢位置から乗降通路が確保される非作業用姿勢位置に跳ね上げ移動可能であると共に、前記ゲートロックレバーが前記コンソールボックスの斜め前方に突出して前記乗降通路を遮断している倒伏姿勢位置から前記コンソールボックスよりも後退して乗降通路が確保される起立姿勢位置に跳ね上げ移動可能に設けられている建設機械のゲートロック装置に於いて、
前記コンソールボックスと前記ゲートロックレバーとの間に、前記コンソールボックスが前記作業用姿勢位置に配置されている状態で、前記ゲートロックレバーを単独で前記倒伏姿勢位置と前記起立姿勢位置との間を自由に移動できるようにしたリンク機構を設けたことを特徴とする建設機械のゲートロック装置。
【請求項２】
上記ゲートロックレバーが倒伏姿勢位置から上記起立姿勢位置側に切り換えられると、運転を規制するセーフティスイッチを設けた請求項１記載の建設機械のゲートロック装置。
【請求項３】
上記リンク機構は、上記コンソールボックスが上記作業用姿勢位置に配置され、且つ、上記ゲートロックレバーが上記倒伏姿勢位置に配置されている状態で、前記コンソールボックスを前記非作業用姿勢位置に跳ね上げ移動すると、前記ゲートロックレバーも前記コンソールボックスに連動して上記起立姿勢位置に跳ね上げ移動できるように構成された請求項１または２記載の建設機械のゲートロック装置。
【請求項４】
上記リンク機構は、上記コンソールボックスが上記非作業用姿勢位置に配置され、且つ、上記ゲートロックレバーが上記起立姿勢位置に配置されている状態で、前記コンソールボックスを上記作業用姿勢位置に押し下げ移動すると、前記コンソールボックスを単独で前記非作業用姿勢位置から前記作業用姿勢位置に移動できるように構成された請求項１，２又は３記載の建設機械のゲートロック装置。
【請求項５】
上記リンク機構は、前記コンソールボックスが上記非作業用姿勢位置に配置され、且つ、上記ゲートロックレバーが上記起立姿勢位置に配置されている状態で、前記ゲートロックレバーを前記起立姿勢位置から前記倒伏姿勢位置に押し下げ移動すると、前記コンソールボックスも前記ゲートロックレバーに連動して前記非作業用姿勢位置から前記作業用姿勢位置に移動できるように構成した請求項２，３，又は４記載の建設機械のゲートロック装置。
【発明の詳細な説明】
【技術分野】
【０００１】
本発明は、油圧ショベル等の建設機械のゲートロック装置に関するものであり、特に、オペレータがキャブに出入りする際に作業用操作レバー付きのコンソールボックス及びゲートロックレバーを跳ね上げ移動させて乗降通路を確保するようにした建設機械のゲートロック装置に関するものである。
【背景技術】
【０００２】
一般に、此種建設機械の中には、作業用アクチュエータの作動をコントロールする作業用操作レバーを設けたコンソールボックスとキャブへの乗降通路を遮断するゲートロックレバーとを設けたものがある。この構造は、ゲートロックレバーがコンソールボックスの斜め前方より乗降通路内に大きく突出して設けられており、オペレータがキャブに乗り降りするときには邪魔になるので、コンソールボックスと共に上動させると乗降通路内から排除され、これによって該乗降通路が確保できるようになっている（例えば特許文献１参照）。
【０００３】
又、オペレータに適したコンソールボックスの姿勢も、その作業用操作レバーを扱うオペレータの体格等によって微妙に異なる。そこで、作業用姿勢位置に於いて、コンソールボックスの位置を上下方向に調整できるように複数の調整位置を設定しておき、該調整位置を選択すると該コンソールボックスの高さ位置をオペレータに応じて調整できるように構成したものも知られている（例えば特許文献２参照）。
【特許文献１】特開平１４−２１１２０号公報。
【特許文献２】実開平６−７６４５８号公報。
【発明の開示】
【発明が解決しようとする課題】
【０００４】
特許文献１記載の発明は、乗降通路を遮断する位置から上動した通路開放位置に移動する迄、コンソールボックスとゲートロックレバーとが常に一体に移動する構造になっている。しかし、オペレータの体格が細身であるような場合は、コンソールボックスを作業用姿勢位置に配置したまま、ゲートロックレバーだけを起立姿勢位置に回動させて、ある程度の乗降通路幅を確保出来れば乗降が行えるということも少なくない。
【０００５】
また、特許文献２記載の発明は、作業用姿勢位置に於いて、コンソールボックスの姿勢を上下方向に切り換え可能にするための調整箇所を複数箇所用意した構造になっている。しかしながら、コンソールボックスを非作業用姿勢位置に跳ね上げた状態から作業姿勢位置に戻したとき、この戻されたコンソールボックスが必ず位置決めされる調整箇所は決められていない。この構造の場合、一般には、上方の調整箇所に戻されることが多いが、毎回、戻される調整箇所がどこになるかは特定されていない。従って、作業用姿勢位置に戻された状態で、オペレータが手で操作レバーを実際に握ってみて、自分の好みに合った箇所を探して調整するという方法が採られている。このため、自分の好みに合った箇所を探すのに手間がかかるという問題があった。
【０００６】
而して、オペレータがキャブに乗り降りする際に、オペレータの体形によってはコンソールボックスを作業用姿勢位置に配置したまま、ゲートロックレバーだけを移動できれば、特許文献２記載の発明で使用されているような高さ調整機構を設けても、コンソールボックスを非作業用姿勢位置に跳ね上げなくても済むので、乗り降りの度にコンソールボックスの上下位置を再度調整する手間を省くことができる。
【０００７】
そこで、コンソールボックスは作業用姿勢位置に配置したままで、ゲートロックレバーだけを乗降通路の外側に移動できるようにするために解決すべき技術的課題が生じてくるのであり、本発明はこの課題を解決することを目的とする。
【課題を解決するための手段】
【０００８】
本発明は上記目的を達成するために提案されたものであり、請求項１記載の発明は、作業用操作レバーを有するコンソールボックスと該コンソールボックスの斜め前方に突出して設けられたゲートロックレバーとを備え、前記コンソールボックスが前記作業用操作レバーの操作を可能にする作業用姿勢位置から乗降通路が確保される非作業用姿勢位置に跳ね上げ移動可能であると共に、前記ゲートロックレバーが前記コンソールボックスの斜め前方に突出して前記乗降通路を遮断している倒伏姿勢位置から前記コンソールボックスよりも後退して乗降通路が確保される起立姿勢位置に跳ね上げ移動可能に設けられている建設機械のゲートロック装置に於いて、前記コンソールボックスと前記ゲートロックレバーとの間に、前記コンソールボックスが前記作業用姿勢位置に配置されている状態で、前記ゲートロックレバーを単独で前記倒伏姿勢位置と前記起立姿勢位置との間を自由に移動できるようにしたリンク機構を設けた建設機械のゲートロック装置を提供する。
【０００９】
この構成によれば、ゲートロックレバーだけを移動させたときには、コンソールボックスを作業用姿勢位置に配置したまま、ゲートロックレバーだけを移動することにより、多少狭いながらも乗降通路が確保され、該乗降通路を使用して乗り降りすることができる。
【００１０】
請求項２記載の発明は、上記ゲートロックレバーが倒伏姿勢位置から上記起立姿勢位置側に切り換えられると、運転を規制するセーフティスイッチを設けた建設機械のゲートロック装置を提供する。
【００１１】
この構成によれば、ゲートロックレバーが倒伏姿勢位置から前記起立姿勢位置側に切り換えられると、セーフティスイッチにより運転が自動的に規制され、これによって不用意に運転が開始されるのを防ぐことができる。
【００１２】
請求項３記載の発明は、上記リンク機構を、上記コンソールボックスが上記作業用姿勢位置に配置され、且つ、上記ゲートロックレバーが上記倒伏姿勢位置に配置されている状態で、前記コンソールボックスを前記非作業用姿勢位置に跳ね上げ移動すると、前記ゲートロックレバーも前記コンソールボックスに連動して上記起立姿勢位置に跳ね上げ移動できるように構成した建設機械のゲートロック装置を提供する。
【００１３】
この構成によれば、コンソールボックスを作業用姿勢位置から非作業用姿勢位置に移動させると、この動作に連動してゲートロックレバーも倒伏姿勢位置から起立姿勢位置に移動させることができる。
【００１４】
請求項４記載の発明は、上記リンク機構を、上記コンソールボックスが上記非作業用姿勢位置に配置され、且つ、上記ゲートロックレバーが上記起立姿勢位置に配置されている状態で、前記コンソールボックスを上記作業用姿勢位置に押し下げ移動すると、前記コンソールボックスを単独で前記非作業用姿勢位置から前記作業用姿勢位置に移動できるように構成した建設機械のゲートロック装置を提供する。
【００１５】
この構成によれば、ゲートロックレバーは起立位置に配置したまま、コンソールボックスだけを非作業姿勢位置から作業用姿勢位置に移動させることができる。
【００１６】
請求項５記載の発明は、上記リンク機構を、前記コンソールボックスが上記非作業用姿勢位置に配置され、且つ、上記ゲートロックレバーが上記起立姿勢位置に配置されている状態で、前記ゲートロックレバーを前記起立姿勢位置から前記倒伏姿勢位置に押し下げ移動すると、前記コンソールボックスも前記ゲートロックレバーに連動して前記非作業用姿勢位置から前記作業用姿勢位置に移動できるように構成した建設機械のゲートロック装置を提供する。
【００１７】
この構成によれば、ゲートロックレバーを起立姿勢位置から倒伏姿勢位置に押し下げ移動すると、コンソールボックスも連動して非作業用姿勢位置から作業用姿勢位置に移動させることができる。
【発明の効果】
【００１８】
請求項１記載の発明は、ゲートロックレバーだけを移動させれば乗り降りができるようなときには、コンソールボックスを作業用姿勢位置に配置したまま、ゲートロックレバーだけを移動させれば乗り降りできるので、操作の簡略化が図れる。
【００１９】
請求項２記載の発明は、ゲートロックレバーが倒伏姿勢位置から起立姿勢位置側に切り換えられると、セーフティスイッチが運転を自動的に規制するので、ゲートロックレバーが起立姿勢位置に切り換えられている状態で不用意に運転が開始されるのが防止され、請求項１記載の発明の効果に加えて、安全性が確保される。
【００２０】
請求項３記載の発明は、乗降時にゲートロックレバーと共にコンソールボックスも移動させる必要のある場合は、コンソールボックスを作業用姿勢位置から非作業用姿勢位置に移動させると、この動作に連動してゲートロックレバーも倒伏姿勢位置から起立姿勢位置に移動させることができるので、請求項１，２又は３記載の発明の効果に加えて、更に操作の簡略化が図れる。
【００２１】
請求項４記載の発明は、ゲートロックレバーは起立位置に配置したまま、コンソールボックスだけを非作業姿勢位置から作業用姿勢位置に移動させることができるので、請求項１，２又は３記載の発明の効果に加えて、誤ってコンソールボックスを作業用姿勢位置に移動させてもセーフティスイッチにより運転が規制されるので、安全性が確保される。
【００２２】
請求項５記載の発明は、乗降通路外に移動されているコンソールボックスとゲートロックレバーをそれぞれ乗降通路を塞ぐ位置に移動させる場合は、ゲートロックレバーだけを起立姿勢位置から倒伏姿勢位置に押し下げ移動すると、コンソールボックスも連動して非作業用姿勢位置から作業用姿勢位置に移動できるので、請求項２，３又は４記載の発明の効果に加えて、オペレータによる使用形態の選択肢が更に多くなると共に、操作の簡略化が図れる。
【発明を実施するための最良の形態】
【００２３】
コンソールボックスは作業用姿勢位置に配置したままで、ゲートロックレバーだけを乗降通路の外側に移動させれば乗り降りができるようなときには、ゲートロックレバーだけを乗降通路の外側に移動させることができるようにするという目的を達成するために、コンソールボックスが作業用姿勢位置に配置されている状態で、ゲートロックレバーを単独で倒伏姿勢位置から起立姿勢位置に移動できるようにしたリンク機構をコンソールボックスとゲートロックレバーとの間に設けた建設機械のゲートロック装置を提供する。
【００２４】
以下、本発明の一実施例を図面に従って詳述する。図１は本発明を適用した建設機械としての油圧ショベルを示す。該油圧ショベル１０は、下部走行体１１の上に旋回機構１２を介して上部旋回体１３が旋回自在に載置されている。上部旋回体１３には、その前方一側部にキャブ１４が設けられ、且つ、前方中央部にブーム１５が俯仰可能に取り付けられている。又、ブーム１５の先端にアーム１６が上下回動自在に取り付けられ、更に該アーム１６の先端にバケット１７が取り付けられている。
【００２５】
図２はキャブ１４内の概略構成を示す。該キャブ１４内の左右両側にはコンソールボックス１８が配されている。該コンソールボックス１８の上面前部には、上部旋回体１３やブーム１５，アーム１６，バケット１７を作動せしめる各種作業用油圧アクチュエータ(図示せず)を操作するための作業用操作レバー１９が設けられ、前面下部にはキャブ１４の乗降通路を遮断するゲートロックレバー２０が設けられている。
【００２６】
図３はコンソールボックス１８周辺の概略構成を示す。コンソールボックス１８の後部は、車体２１に取り付けた固定フレーム２２に、枢軸２３を介して上下揺動自在に軸支されている。これによって、コンソールボックス１８は、前部側が上下に可動し、運転席２４(図２参照)に座したオペレータが作業用操作レバー１９を把持し易い略水平な作業姿勢を取る作業用姿勢位置と、前部側が上動して跳ね上がり、オペレータが運転席２４に乗り降りする際に作業用操作レバー１９が邪魔にならない姿勢を取る非作業用姿勢位置とに揺動切り換えができるようになっている。尚、図３のコンソールボックス１８は作業用姿勢位置に配置された状態を示す。
【００２７】
又、コンソールボックス１８と固定フレーム２２との間には、ロック手段２５が設けられている。該ロック手段２５は、固定フレーム２２に取り付けたロックピン２６とコンソールボックス１８に取り付けたロックレバー２７と、該ロックレバー２７をロック方向(図３中では反時計回り方向)に回転する力を常に付与している付勢バネ２８、及びロックレバー２７のロック方向に於ける回転を規制する規制ピン２９とで構成されている。
【００２８】
ロックレバー２７は、コンソールボックス１８の側面に、枢軸３０を介して中間部が回転可能に軸支されている。該ロックレバー２７のハンドル部２７ａはコンソールボックス１８の上面に突出し、ハンドル部２７ａと反対側のロック部２７ｂは固定フレーム２２側のロックピン２６と対応する位置まで延ばされ、該ロック部２７ｂの先端にロックピン２６と係合可能な係止爪２７ｃが設けらせれている。付勢バネ２８は、枢軸３０の外周に巻回された巻バネであって、一端をコンソールボックス１８の側面に取り付けると共に、他端をロックレバー２７のロック部２７ｂに取り付け、該ロックレバー２７がロック方向(図３中では反時計回り方向)に回転する力を常に付与している。規制ピン２９は、ロックレバー２７のロック方向に於ける回転を規制するものであって、ロックレバー２７は規制ピン２９と衝合する位置までロック方向に回転する。このロックレバー２７が規制ピン２９で規制された状態は、図３に示すように、上下方向に延びる垂直な状態である。
【００２９】
このように構成されたロック手段２５は、コンソールボックス１８が作業用姿勢位置に配置されているとき、ロックレバー２７の係止爪２７ｃがロックピン２６と対応していて、該係止爪２７ｃがロックピン２６と係合することができる。図３は、係止爪２７ｃがロックピン２６と係合しているロック状態を示している。又、このロック状態で、ロックレバー２７を付勢バネ２８の付勢力に抗して図３中の矢印Ｕ方向に回転させると、係止爪２７ｃをロックピン２６から外すことができる。更に、コンソールボックス１８の後部下側と車体２１との間にはスプリング３１が張設されていて、ロック手段２５によるロックが外されると、該コンソールボックス１８は該スプリング３１の張力で枢軸２３を支点として時計回り方向に回転し、前側が跳ね上がって非作業用姿勢位置まで移動できる。
【００３０】
反対に、非作業用姿勢位置に配置されているコンソールボックス１８の前側を押し下げると、該コンソールボックス１８は枢軸２３を支点として反時計回り方向に回転して、前側が押し下げられる。尚、係止爪２７ｃの下面は傾斜面として形成されており、コンソールボックス１８が押し下げられて傾斜面がロックピン２６に衝合すると、該傾斜面のカム作用によってロックレバー２７が一時的に時計回り方向に回転されて係止爪２７ｃがロックピン２６の上から逃げ、又、該係止爪２７ｃがロックピン２６の下側に移動すると、付勢バネ２８の付勢力で回転復帰し、係止爪２７ｃがロックピン２６と係合してロック状態になる。
【００３１】
前記ゲートロックレバー２０は、コンソールボックス１８の下側で固定フレーム２２の内面に、枢軸３２を介して一端が回転可能に軸支されている。そして、該ゲートロックレバー２０は、他端側を下方向に回転させると、該他端側がコンソールボックス１８の斜め前方に向かって突出された倒伏姿勢位置に切り換えでき、上方向に略９０度回転させるとゲートロックレバー２０の全体がコンソールボックス１８の前面よりも後退し、図３中に符号Ｗ０で示す大きな幅を有する乗降通路を確保できる起立姿勢位置に切り換えできるようになっている。
【００３２】
又、ゲートロックレバー２０の他端側の先端部分には、オペレータが手で握り易くするためのハンドル部材３３が取り付けられ、回動支点側の基部にはスイッチ制御板３４が設けられている。該スイッチ制御板３４は、ゲートロックレバー２０と一体に回転する。尚、固定フレーム２２には、スイッチ制御板３４と対応してセーフティスイッチ３５が設けられている。該セーフティスイッチ３５は、例えばマイクロスイッチであり、ゲートロックレバー２０がコンソールボックス１８の斜め前方に向かって突出された倒伏姿勢位置にあるときは例えばオン信号を出力し、倒伏姿勢位置から起立姿勢位置に向かって移動されると信号出力がオンからオフに切り替わり、ゲートロックレバー２０の位置情報として図示せぬ制御部に信号を送る。該制御部では、セーフティスイッチ３５からの信号に基づいて、作業用アクチュエータの動作をコントロールをする。
【００３３】
又、コンソールボックス１８とゲートロックレバー２０との間には、コンソールボックス１８とゲートロックレバー２０の動きをコントロールするリンク機構３７が設けられている。該リンク機構３７は、細長いリンク板３８とコイルスプリング３９を有している。該リンク板３８の一端はコンソールボックス１８の側面に於ける前側下部に枢軸４０を介して回転可能に取り付けられ、又、中央には長孔４１が略両端間に渡って形成されている。そして、該長孔４１にはゲートロックレバー２０の中間部分に設けられている係合ピン４２が回動並びに摺動可能に係合されている。コイルスプリング３９は、一端側が係合ピン４２に掛け止めされ、他端側が車体２１側に掛け止めされており、該ゲートロックレバー２０が倒伏姿勢位置にある時は、下側（反時計回り）に回転する力を付与し、該ゲートロックレバー２０が起立姿勢位置にある時は、上側（時計回り）に回転する力を付与している。
【００３４】
このように構成された建設機械のコンソールボックス１８及びゲートロックレバー２０は、例えば次に述べる使用形態１〜使用形態５のようにして使用することができる。図４乃至図６はその使用形態での動作を示す。以下、その使用形態１〜５を図４乃至図６の動作図を加えて説明する。
【００３５】
(使用形態１；図３，図４の実線部分参照)
この使用形態１は、通常作業時の形態である。即ち、コンソールボックス１８は作業用姿勢位置に置かれ、ロック手段２５でロックされている。一方、ゲートロックレバー２０はコンソールボックス１８の斜め前方に向かって突出された倒伏姿勢位置に置かれている。従って、この状態ではコンソールボックス１８の前側一部(図３中に符号Ｗ１で示す部分)が乗降通路(図３中に符号Ｗ０で示す部分)内に突き出していると共に、ゲートロックレバー２０が乗降通路の略全体を横切って、該乗降通路を遮断した状態になっている。又、この状態では、ゲートロックレバー２０のスイッチ制御板３４がセーフティスイッチ３５を押し、該セーフティスイッチ３５はオンに切り換えられて運転可能な状態になっている。これにより、運転席２４に座ったオペレータが作業用操作レバー１９を手で握って操作すると、作業用アクチュエータの動作をコントロールすることができる。
【００３６】
(使用形態２；図４の一点鎖線で描く部分参照)
この使用形態２は、使用形態１の状態からコンソールボックス１８は作業用姿勢位置に配置したままで、ゲートロックレバー２０だけを起立姿勢位置に跳ね上げ移動させて使用している形態である。即ち、コンソールボックス１８が作業用姿勢位置に配置され、且つ、ゲートロックレバー２０が倒伏姿勢位置にある使用形態１の状態において、ゲートロックレバー２０を上動させると、該ゲートロックレバー２０の係合ピン４２はリンク板３８を上動させながら長孔４１内を枢軸４０に向かって滑りながら移動する。従って、ゲートロックレバー２０の動きは係合ピン４２と長孔４１との間の滑りとリンク板３８が回転する動きとで吸収されてコンソールボックス１８に伝えられず、ゲートロックレバー２０だけが起立姿勢位置に跳ね上げ移動される。図４に一点鎖線で示すゲートロックレバー２０は、その移動後の状態を示す。
【００３７】
従って、この使用形態２ではゲートロックレバー２０が乗降通路内から排除されることによって、図３中に符号Ｗ２で示す幅の乗降通路が得られる。このＷ２幅の乗降通路はＷ０幅の乗降通路に比べて幅は狭いが、体格が細身のオペーレータが通って乗り降りするには十分な幅である。これにより、この使用形態２の状態に切り換えることによって、オペレータはコンソールボックス１８を動かさずに乗り降りすることが可能になる。即ち、コンソールボックス１８を動かさないので、例えばコンソールボックス１８を移動させる度に高さ調整をする構造を用いている場合では、オペレータが乗り降りする度にコンソールボックス１８の高さ調整を行わなくても済むことになる。尚、この使用形態２では、ゲートロックレバー２０が起立姿勢位置に跳ね上げられたことによってスイッチ制御板３４はセーフティスイッチ３５から離れ、該セーフティスイッチ３５がオフに切り換えられて運転が不能な状態になる。
【００３８】
(使用形態３；図５，図６参照)
この使用形態３は、コンソールボックス１８とゲートロックレバー２０を同時に跳ね上げて使用する形態である。例えば、使用形態１から使用形態３に切り換える場合は、先ず、図３及び図４に示す状態に於いて、ロック手段２５のロックレバー２７を図３中の矢印Ｕ方向に回転させてコンソールボックス１８に対するロックを外す。ロックが外されると、該コンソールボックス１８はスプリング３１の付勢力で枢軸２３を支点として上側に回転する。コンソールボックス１８が上動すると、リンク板３８の長孔４１の下端に係合されている係合ピン４２が、ゲートロックレバー２０と共にリンク板３８によって引かれ、ゲートロックレバー２０も枢軸３２を支点として上側に回転する。これにより、コンソールボックス１８は非作業用姿勢位置まで跳ね上げられると共に、ゲートロックレバー２０も起立姿勢位置まで跳ね上げられる。図６は、この移動後の状態を示す。これにより、セーフティスイッチ３５がオフになると共に図３図中に示すＷ０幅の乗降通路が得られ、オペレータは体格に関係なく、スムースに乗り降りすることができる。
【００３９】
(使用形態４；図６及び図４参照)
この使用形態４は、図６に示す使用形態３の状態から、コンソールボックス１８だけを押し下げて使用する形態である。この場合、ゲートロックレバー２０はそのままの位置で、コンソールボックス１８だけを押し下げると、リンク板３８は長孔４１内でゲートロックレバー２０の係合ピン４２を滑らせながら枢軸４０を支点として回転する。従って、コンソールボックス１８の動きは、長孔４１内の係合ピン４２の滑り及びリンク板３８の回転とで吸収され、ゲートロックレバー２０には伝えられない。これにより、ゲートロックレバー２０は図４中の一点鎖線で示す位置に置かれたまま、コンソールボックス１８だけが作業用姿勢位置に押し下げられ、該作業用姿勢位置でロック手段２５によりロックされる。尚、この状態では、ゲートロックレバー２０は起立姿勢位置に跳ね上げられているので、セーフティスイッチ３５はオフで油圧ショベル１０は運転不能な状態にある。その後、ゲートロックレバー２０を下動させると、該ゲートロックレバー２０を図４中に実線で示す位置まで戻すことができ、又、戻るとセーフティスイッチ３５もオンになり、運転可能な状態になる。
【００４０】
(使用形態５；図６及び図４参照)
この使用形態５は、図６に示す使用形態３の状態から、ゲートロックレバー２０を倒伏姿勢位置に押し下げて使用する形態である。この場合、ゲートロックレバー２０を押し下げると、ゲートロックレバー２０の回動に伴って係合ピン４２がリンク板３８を下側に押す。これにより、ゲートロックレバー２０の押し下げに連動してコンソールボックス１８も作業用姿勢位置まで押し下げられ、該作業用姿勢位置でロック手段２５によりロックされる。従って、ゲートロックレバー２０の動作と同時にコンソールボックス１８の移動が行われることになる。移動後の状態は図４に示す。
【００４１】
尚、本発明は、本発明の精神を逸脱しない限り種々の改変を為すことができ、そして、本発明が該改変されたものに及ぶことは当然である。
【図面の簡単な説明】
【００４２】
図は本発明の一実施の形態を示すものである。
【図１】本発明が適用された油圧ショベルの全体側面図。
【図２】同上油圧ショベルに於けるキャブ内の概略構成を示す斜視図。
【図３】同上キャブ内に於けるコンソールボックス周辺の概略構成図。
【図４】運転可能な状態で示すコンソールボックス周辺構造の図。
【図５】ロックを解除した状態で示す同上コンソールボックス周辺構造の図。
【図６】コンソールボックスとゲートロックレバーが跳ね上げ移動された状態で示す同上コンソールボックス周辺構造の図。
【符号の説明】
【００４３】
１８      コンソールボックス
１９      作業用操作レバー
２０      ゲートロックレバー
２５      ロック手段
２６      ロックピン
２７      ロックレバー
２８      付勢バネ
３０      枢軸
３１      スプリング
３２      枢軸
３３      ハンドル部材
３４      スイッチ制御板
３５      セーフティスイッチ
３７      リンク機構
３８      リンク板
４０      枢軸
４１      長孔
【図１】
2005146639.tif 000003
【図２】
2005146639.tif 000004
【図３】
2005146639.tif 000005
【図４】
2005146639.tif 000006
【図５】
2005146639.tif 000007
【図６】
2005146639.tif 000008